(57)【要約】【課題】冊子となったときの開閉性を損なうことなく表紙用紙との接着強度を高めることこと。【解決手段】製本装置１２０における導入搬送路１２１上に切欠き形成手段１３１を設け、この切欠き形成手段１３１によって、本文用紙Ｐ１を積層して本文用紙束ＰＳとなったときに、本文用紙束ＰＳの背面に、厚さ方向についての略中央部分から厚さ方向に沿って表紙用紙Ｐ２の表表紙側及び裏表紙側に向けて上り勾配を有する表表紙側切欠き部Ｎ１と裏表紙側切欠き部Ｎ２とで構成される切欠き部Ｎを、本文用紙束ＰＳの天地方向に沿って複数形成する。【選択図】図２
2016215608.tif 000002
【特許請求の範囲】
【請求項１】
複数枚の本文用紙を重ねた本文用紙束の背面に糊を塗布し、該糊が塗布された本文用紙束を表紙用紙でくるみ綴じして冊子を作製する製本装置において、
前記本文用紙束の背面に、厚さ方向についての略中央部分から厚さ方向に沿って前記表紙用紙の表表紙側及び裏表紙側に向けて上り勾配となる切欠き部が天地方向に沿って複数形成されるように、前記各本文用紙の背面に切欠きを形成する切欠き形成手段を備えることを特徴とする製本装置。
【請求項２】
前記本文用紙束における天側及び地側に形成される前記切欠き部は、前記本文用紙束における天地方向の略中央部分に形成される切欠き部よりも容積が大きく形成されていることを特徴とする請求項１記載の製本装置。
【請求項３】
複数枚の本文用紙を重なって形成され、表紙用紙とくるみ綴じして冊子となる本文用紙束であって、
前記本文用紙束の背面に、厚さ方向についての略中央部分から厚さ方向に沿って前記表紙用紙の表表紙側及び裏表紙側に向けて上り勾配となる切欠き部が天地方向に沿って複数形成されていることを特徴とする本文用紙束。
【発明の詳細な説明】
【技術分野】
【０００１】
本発明は、例えば印刷装置で印刷した複数枚の本文用紙からなる本文用紙束と、この本文用紙束を表紙用紙とくるみ綴じして冊子を作製する製本装置に関する。
【背景技術】
【０００２】
従来、くるみ製本機能により冊子を作製する製本装置が知られている。くるみ製本機能は、印刷済みの複数の本文用紙からなる本文用紙束の背面に接着剤を塗布し、この本文用紙束を表紙用紙でくるみ綴じして冊子を作製する機能である。
【０００３】
ところで、一般的な印刷用紙を束状にした場合、糊が塗布される背面が平坦なため塗布された糊の量が少なく接着強度が不足するため、製本後に本文用紙が落丁する等の問題があった。
【０００４】
そこで、このような問題を解決するため、下記特許文献１に開示されるような本文用紙束の端辺に複数の切り欠き溝を形成し、この切り欠き溝を有する本文用紙束の端辺側に糊を塗布する製本装置が提案されている。
【先行技術文献】
【特許文献】
【０００５】
【特許文献１】特開２００７−６２１４５号公報
【発明の概要】
【発明が解決しようとする課題】
【０００６】
しかしながら、特許文献１に開示される装置では、図５（ａ）に示すように本文用紙束に形成する切り欠き溝によって糊の接触面積が大きくなり接着強度は増すが、その分だけ切り欠き溝の糊が全体的に厚くなってしまう。そのため、製本後に冊子を開いたときに、図示のように切り欠き溝の糊によって冊子が閉じる方向に力がかかるため、冊子を開いた状態で保持するのが難しいという開閉性の問題があった。
【０００７】
また、例えば辞書のような本文用紙が数百ページとなる厚い冊子の場合、図５（ｂ）に示すように背面全体を所定曲率の円弧状となるように本文用紙束を重ねた状態で糊付けして開閉性を向上させているが、背面全体が平坦であるため、糊の塗布量が少なく接着強度が不足するという問題が改善されていない。
【０００８】
本発明は、このような課題に鑑みてなされたものであり、冊子となったときの開閉性を損なうことなく表紙用紙との接着強度を高めることのできる本文用紙束及びこの本文用紙束を用いて冊子を製本する製本装置を提供することを目的としている。
【課題を解決するための手段】
【０００９】
本願発明者は、上述した新たな課題を解決するため、鋭意研究を重ねた結果、本願にて提案する以下の構成の発明を得るに至った。
【００１０】
上記課題を解決するため、本発明に係る第１の態様は、複数枚の本文用紙を重ねた本文用紙束の背面に糊を塗布し、該糊が塗布された本文用紙束を表紙用紙でくるみ綴じして冊子を作製する製本装置において、
前記本文用紙束の背面に、厚さ方向についての略中央部分から厚さ方向に沿って前記表紙用紙の表表紙側及び裏表紙側に向けて上り勾配となる切欠き部が天地方向に沿って複数形成されるように、前記各本文用紙の背面に切欠きを形成する切欠き形成手段を備えることを特徴とする、製本装置である。
【００１１】
また、本発明に係る第２の態様は、第１の態様に係る製本装置において、前記本文用紙束における天側及び地側に形成される前記切欠き部は、前記本文用紙束における天地方向の略中央部分に形成される切欠き部よりも容積が大きく形成されていることを特徴とする、製本装置である。
【００１２】
また、本発明に係る第３の態様は、複数枚の本文用紙を重なって形成され、表紙用紙とくるみ綴じして冊子となる本文用紙束であって、
前記本文用紙束の背面に、厚さ方向についての略中央部分から厚さ方向に沿って前記表紙用紙の表表紙側及び裏表紙側に向けて上り勾配となる切欠き部が天地方向に沿って複数形成されていることを特徴とする、本文用紙束である。
【発明の効果】
【００１３】
第１の態様に係る製本装置によれば、厚さ方向についての略中央部分から厚さ方向に沿って表紙用紙の表表紙側及び裏表紙側に向けて上り勾配となる切欠き部が、本文用紙束における背面の天地方向に沿って複数形成されるように、各本文用紙に切欠きを形成する切欠き形成手段を備えているため、この切欠き形成手段で切欠きが形成された本文用紙を用いて冊子を作製すれば、冊子の開閉性を損なうことなく本文用紙束と表紙用紙との接着強度を高めることができる。
【００１４】
第２の態様に係る製本装置によれば、本文用紙束に形成する切欠き部のうち、本文用紙束の天側及び地側に形成される切欠き部の容積を、他の位置に形成される切欠き部の容積よりも大きくすることで、冊子成形時において、この容積の大きい天側及び地側の切欠き部に本文用紙束の天地方向の略中央部分から天地方向に移動してくる糊が収容されるため、冊子として完成した際に、糊が外側にはみ出ることなく、冊子の品質を保つことができる。
【００１５】
第３の態様に係る本文用紙束によれば、背面に、厚さ方向についての略中央部分から厚さ方向に沿って表紙用紙の表表紙側及び裏表紙側に向けて上り勾配となる切欠き部が天地方向に沿って複数形成さているため、冊子として完成したときに冊子の開閉性を損なうことなく本文用紙束と表紙用紙との接着強度を高めることができる。
【図面の簡単な説明】
【００１６】
【図１】本実施形態の切欠き形成手段を具備する製本システムの概略構成図である。
【図２】本実施形態の切欠き形成手段の構成例を示す図である。
【図３】（ａ）〜（ｃ）は本文用紙束に形成される切欠き部の形態例を模式的に示す斜視図と該斜視図における概略断面図である。
【図４】（ａ）、（ｂ）は本文用紙束の背面に形成される切欠き部の配置構成例を示す図である。
【図５】（ａ）は従来の方法で作製された冊子の状態を示す図であり、（ｂ）は本文用紙のページ数の多い冊子の状態を示す図である。
【発明を実施するための形態】
【００１７】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などは全て本発明の範疇に含まれる。
【００１８】
なお、本明細書において、添付する各図を参照した以下の説明において、方向乃至位置を示すために上、下、左、右の語を使用した場合、これはユーザが各図を図示の通りに見た場合の上、下、左、右に一致する。
【００１９】
［１．製本システムの構成について］
まず、本発明の製本装置を備える製本システム１００について説明する。
図１に示すように、製本システム１００は、印刷装置１１０と、製本装置１２０とを備えている。
【００２０】
また、製本システム１００は、例えばＲＯＭ（Read Only Memory）、ＲＡＭ（Random Access Memory）等の各種半導体メモリからなる主記憶装置や、例えばフラッシュメモリやＨＤＤ（Hard Disk Drive ）等の補助記憶装置で構成され、製本システム１００の各部を駆動するのに必要なコンピュータプログラムやアプリケーションソフトウェア等の各種情報を記憶する記憶部１４０と、例えばＣＰＵ（Central Processing Unit ）等のプロセッサで構成され、記憶部１４０に記憶されるコンピュータプログラムや各種アプリケーションソフトウェアを読み込んでプログラム処理することでシステム全体の制御処理及び各種処理に必要な演算処理を実行する制御部１５０とを備えている。
【００２１】
なお、図１に示す製本システム１００では、印刷装置１１０を主装置とし、製本装置１２０を周辺機器（後処理装置）として位置付けた仕様のシステム例であるため、印刷装置１１０に記憶部１４０と制御部１５０を具備させているが、製本装置１２０に記憶部１４０、制御部１５０を搭載してもよいし、印刷装置１１０と製本装置１２０にそれぞれに具備した構成としてもよい。
【００２２】
また、製本システム１００において冊子作成時に使用する冊子作成ジョブには、作製する冊子の作製条件（例えば、冊子の作製数、冊子のページ数、使用する本文用紙Ｐ１や表紙用紙Ｐ２のサイズ情報、本文用紙Ｐ１や表紙用紙Ｐ２に対する印刷処理情報（例えば、両面／片面印刷等の印刷方式情報やモノクロ／フルカラー等の印刷カラー情報）等の情報が含まれている。
【００２３】
この冊子作製ジョブを入手する方法としては、ユーザが使用するＰＣ等の外部端末装置から入力する方法、予め設定した冊子作製ジョブを記憶させたＵＳＢメモリ等の補助記憶装置を介して入力する方法、本装置に各種入力キーやタッチパネル等で構成される設定入力手段を具備させこの設定入力手段から冊子作製ジョブを設定する方法、予め設定した冊子作製ジョブ情報を記憶する外部サーバから通信ネットワークを介して入力する方法等がある。
【００２４】
＜１−１．印刷装置＞
印刷装置１１０は、冊子となる用紙Ｐ（本文用紙Ｐ１、表紙用紙Ｐ２）所定の印刷処理を施した後、製本装置１２０に排出する装置である。
【００２５】
詳述すると、筐体内部の給紙トレイ１１１ａや筐体側面の給紙台１１１ｂに積層された複数種類の用紙Ｐ（本文用紙Ｐ１や表紙用紙Ｐ２となる枚葉状の用紙）を所定のタイミングで給紙する給紙部１１１と、導入路１１２から搬送された用紙Ｐをベルト搬送機構１１３ｃで水平搬送する第１搬送経路１１３ａとこの第１搬送経路１１３ａを介して両面印刷時などに用紙Ｐが搬送される閉ループ状の第２搬送経路１１３ｂからなる搬送経路１１３と、ブラック（Ｋ）、シアン（Ｃ）、マゼンタ（Ｍ）、イエロー（Ｙ）の各色のインクをそれぞれ吐出する４つのインクジェットヘッドＫ、Ｃ、Ｍ、Ｙからなり搬送経路１１３で搬送された用紙Ｐに対して所定の印刷処理を行う印刷部１１４と、用紙Ｐを製本装置１２０に排出する第１排出路１１５と、第２搬送経路１１３ｂを搬送された用紙Ｐを筐体外の排紙部１１７に排出する第２排出路１１６と、第２搬送経路１１３ｂを搬送された用紙Ｐを受け入れた後に逆行させて用紙Ｐの表裏を反転させるスイッチバック路１１８と、スイッチバック路１１８で表裏反転した用紙Ｐを再度第１搬送経路１１３ａに戻す反転経路１１９とを備えている。
【００２６】
なお、印刷装置１１０の構成としてインクジェット記録装置を例に説明しているが、作製する用紙成形物の作製内容に応じて印刷用紙に所望の画像形成が可能であればよいため、例えば孔版印刷装置、複写機、レーザプリンタ等の各種画像形成装置を採用してもよい。
【００２７】
＜１−２．製本装置＞
製本装置１２０は、印刷装置１１０で印刷された本文用紙Ｐ１に糊を塗布し、別経路から搬送される表紙用紙Ｐ２と接着してくるみ綴じすることでシート状成形物である冊子を作製する装置である。
【００２８】
具体的には、印刷装置１１０から搬送された印刷済みの本文用紙Ｐ１及び表紙用紙Ｐ２を導入するための導入搬送路１２１と、印刷済みの本文用紙Ｐ１を整合基準であるセンター位置に位置合わせした状態で整合して所定枚数に達した本文用紙束ＰＳを形成する整合部１２２と、導入搬送路１２１から分岐して印刷済みの表紙用紙Ｐ２及び本文用紙Ｐ１を整合部１２２側へ搬送する上部製本搬送路１２３と、上部製本搬送路１２３を介して搬送された印刷済みの表紙用紙Ｐ２を一時的に待機させるとともに外部から印刷済みの表紙用紙Ｐ２を所定タイミングで導入する表紙用紙導入部１２４と、整合部１２２から送り出された本文用紙束ＰＳの背面に一様にホットメルト接着剤Ｇ（以下、単に「糊Ｇ」という）を塗布する糊塗布部１２５と、本文用紙束ＰＳを開閉駆動に挟持するよう相対的に接近・離隔する一対のクランパ１２６ａで前記用紙束ＰＳを挟持した状態で装置内を図中上下左右に移動させる移動手段１２６と、糊Ｇが塗布済みの本文用紙束ＰＳの背面に表紙用紙Ｐ２を当接した状態で左右から表紙用紙Ｐ２を介して本文用紙束ＰＳを押圧して表紙用紙Ｐ２が折り曲げて冊子を成形する成形部１２７と、上部製本搬送路１２３から送り出された表紙用紙Ｐ２を成形部１２７へ搬送するための下部製本搬送路１２８と、成形部１２７から落下する完成した冊子をガイドするガイド部材１２９と、ガイド部材１２９の間を通過しながら成形部１２７から落下した冊子を排出トレイ１３０ａまで排出搬送する排出部１３０とで構成されている。
【００２９】
また、製本装置１２０における導入搬送路１２１上には、本文用紙束ＰＳの背面に所定形状の切欠き部Ｎを形成するため搬送され本文用紙Ｐ１に所定の切欠きＮａを形成する切欠き形成手段１３１が設けられている。
【００３０】
［２．切欠き形成手段について］
ここで、本発明の切欠き形成手段１３１について図２を参照しながら説明する。
図２に示すように、切欠き形成手段１３１は、その先端に本文用紙Ｐ１を切り欠くための切欠き形成刃を有し、印刷装置１１０から搬送された本文用紙Ｐ１における所定の切欠き位置に切欠きＮａを形成するパンチ部１３１ａと、導入搬送路１２１を挟んでパンチ部１３１ａと対向する位置に配置され、案内部材１３１ｃに沿って移動するパンチ部１３１ａが貫通するダイ部１３１ｂとで構成されるパンチユニットである。また、切欠き形成手段１３１は、案内部材１３１ｃに沿ってパンチ部１３１ａを本文用紙Ｐに近接又は離隔する方向（上下方向）に移動させる駆動機構１３１ｄを備えている。
【００３１】
なお、パンチ部１３１ａは、本文用紙束ＰＳに形成可能な切欠きＮａの数と同数だけ用紙搬送方向と直交する方向に沿って並設され、本文用紙束ＰＳ毎に設定された切欠き形成数や切欠き位置に応じて適宜移動制御される。また、切欠き形成刃の形状は特に限定されないが、例えば切欠きＮａの形状として略矩形状、略半円形状、三角形状となるような刃を使用する。
【００３２】
切欠き形成手段１３１は、予め設定された切欠き形成位置まで搬送された本文用紙Ｐ１に対し、制御部１５０の制御によって切欠き位置に対応するパンチ部１３１ａを上下方向に移動されることで本文用紙Ｐ１毎に設定された切欠きＮａを形成する。
【００３３】
［３．本文用紙束に形成される切欠き部について］
次に、上述した切欠き形成手段１３１によって形成された切欠きＮａで構成される切欠き部Ｎの形状について、図３又は図４を参照しながら説明する。
本実施形態の切欠き部Ｎは、上述した切欠き形成手段１３１によって本文用紙Ｐ１の切欠き位置に形成された切欠きＮａが、本文用紙束ＰＳの厚み方向に沿って連続することで形成されるものである。
【００３４】
＜３−１．切欠き部の形状＞  
切欠き部Ｎは、各本文用紙Ｐ１が本文用紙束ＰＳとなったときに、本文用紙束ＰＳの厚み方向についての略中央部分から厚み方向に沿って各表紙側端部（表表紙側端部ＰＳ１、裏表紙側端部ＰＳ２）に向かって上り勾配となる表表紙側切欠き部Ｎ１と裏表紙側切欠き部Ｎ２とで構成され、本文用紙束ＰＳの背面に対し、天地方向に沿って複数形成される。
なお、図３（ａ）〜（ｃ）に示す各図では、表紙側側面から見たときの切欠きＮａの形状が矩形状であり、切欠き部Ｎを本文用紙束ＰＳの天地方向に４つ形成した例である。
【００３５】
切欠き部Ｎの形状としては、本文用紙束ＰＳの厚み方向についての略中央部分から厚み方向に沿って表表紙側端部ＰＳ１や裏表紙側端部ＰＳ２に向けて上り勾配となる形状であればよい。
切欠き部Ｎの形状例として、例えば図３（ａ）に示すような切欠き部Ｎの傾斜面Ｎｂが直線となる形状、図３（ｂ）に示すような傾斜面Ｎｂが本文用紙束ＰＳの外側に突き出した所定曲率を有する弧状の凸曲面となる形状、図３（ｃ）に示すような傾斜面Ｎｂが本文用紙束ＰＳの内側に窪んだ所定曲率を有する弧状の凹曲面となる形状等がある。なお、切欠き部Ｎのサイズや形成数については、作製する冊子における切欠き部Ｎが形成可能な領域の大きさに応じて適宜規定すればよい。
【００３６】
また、切欠き部Ｎには、図３（ａ）〜（ｃ）に示すように糊Ｇが所定量収容されるように天地方向に沿って所定の厚みを有している。このように、切欠き部Ｎに厚みを設けて各切欠きＮａが連通するように形成することで、冊子成形時に切欠き部Ｎに塗布した糊Ｇが入り込んで本文用紙Ｐ１との接触面積が増加するため、接着強度が増して落丁を防止する効果を奏する。
【００３７】
さらに、切欠き部Ｎは、図３（ａ）〜（ｃ）に示すように本文用紙束ＰＳにおける天側及び地側に形成される切欠き部Ｎが、本文用紙束ＰＳにおける天地方向の略中央部分に形成される切欠き部Ｎよりも容積が大きくなるように形成する。
これにより、冊子成形時に本文用紙束ＰＳの背面が表紙用紙Ｐ２に当接することで、本文用紙束ＰＳの天地方向における中央部分に塗布された糊Ｇが天側及び地側に移動したときに、この移動した糊Ｇが外側にはみ出すことなく収容される。よって、冊子となっときに、糊Ｇがはみ出して冊子の品質が低下することを防止することができる。
【００３８】
＜３−２．切欠き部の配置位置＞
切欠き部Ｎの形成位置としては、少なくとも本文用紙束ＰＳの背面において、表表紙側切欠き部Ｎ１と裏表紙側切欠き部Ｎ２が複数形成されていればよい。
切欠き部Ｎの配置構成例としては、図４（ａ）に示すように例えば本文用紙束ＰＳの背面を平面視したときに、本文用紙束ＰＳの背面に対して表表紙側切欠き部Ｎ１と裏表紙側切欠き部Ｎ２とが本文用紙束ＰＳの厚み方向に対向した配置構成（配置構成１）、図４（ｂ）に示すように表表紙側切欠き部Ｎ１と裏表紙側切欠き部Ｎ２とを千鳥状に互い違いにした配置構成（配置構成２）がある。
【００３９】
なお、配置構成１で配置した表表紙側切欠き部Ｎ１と裏表紙側切欠き部Ｎ２とは、本文用紙束ＰＳの厚み方向に対向して配置されているため、本文用紙束ＰＳの厚み方向における中央部分で対向する端部同士が連通するような構成としてもよい。
【００４０】
以上のように、本システムで使用する本文用紙束ＰＳは、上述した形状条件や配置条件を満たすように切欠き部Ｎを天地方向に沿って複数設けることで、糊Ｇが切欠き部Ｎに入り込んで従来の冊子よりも接着強度を高めつつ、切欠き部Ｎが所定の間隔を開けて配置されることで糊Ｇが厚い部分と薄い部分とが混在するため、冊子となったときの開閉性を損なうことがない。
【００４１】
［４．処理動作について］
次に、上述した切欠き形成手段１３１を備えた製本システム１００の一連の処理動作について説明する。
【００４２】
ユーザは、まず本文用紙束ＰＳに形成する切欠き部Ｎの形成数や形成位置を設定する。これにより、ユーザの設定内容に応じて、本文用紙Ｐ１毎の切欠きＮａの切欠き位置が規定される。
【００４３】
製本処理が開始されると、本文用紙Ｐ１と表紙用紙Ｐ２の印刷処理が行われ、印刷済みの本文用紙Ｐ１が切欠き形成手段１３１の切欠き形成位置まで搬送される。そして、切欠き形成位置まで搬送された本文用紙Ｐ１に対し、パンチ部１３１ａを上下移動させて本文用紙Ｐ１の切欠き位置に切欠きＮａを形成する。
【００４４】
次に、切欠きＮａが形成された本文用紙Ｐ１は、整合部１２２まで搬送され、所定枚数に達した本文用紙Ｐ１を、整合基準であるセンター位置に位置合わせした状態で整合して本文用紙束ＰＳを形成する。この整合部１２２による整合動作により、本文用紙Ｐ１が整合されるため、本文用紙Ｐ１毎に形成された切欠きＮａが連続して切欠き部Ｎが形成される。
【００４５】
次に、整合部１２２で整合された本文用紙束ＰＳが、移動手段１２６によって糊塗布部１２５まで搬送されると、本文用紙束ＰＳの背面に一様に糊Ｇが塗布される。本文用紙束ＰＳの背面に塗布された糊Ｇは、この時点で切欠き部Ｎに多少入り込むが切欠き部Ｎには若干の空間が開いている状態となる。
【００４６】
次に、糊Ｇが塗布された本文用紙束ＰＳは、成形部１２７まで搬送され、本文用紙束ＰＳの背面に表紙用紙Ｐ２を当接した状態で左右から表紙用紙Ｐ２を介して本文用紙束ＰＳを押圧しながら表紙用紙Ｐ２が折り曲げて冊子として成形される。
【００４７】
このとき、本文用紙束ＰＳの背面に塗布された糊Ｇが表紙用紙Ｐ２に押し付けられることで、切欠き部Ｎ全体に糊Ｇが行き亘るようになる。また、冊子成形時に本文用紙束ＰＳの天地方向における中央部分に塗布された糊Ｇが天地方向に移動するが、この移動した糊Ｇが天地方向側に形成される比較的容積の大きい切欠き部Ｎに入り込んで収容されるため、冊子となった時に糊Ｇが外側にはみ出すことがない。
【００４８】
そして、成形部１２７で成形された冊子は、ガイド部材１２９でガイドされながら排出部１３０に落下して排出トレイ１３０ａまで排出搬送される。
【００４９】
以上説明したように、上述した製本システム１００における製本装置１２０は、本文用紙Ｐ１を積層して本文用紙束ＰＳとなったときに、本文用紙束ＰＳの背面に、厚さ方向についての略中央部分から厚さ方向に沿って表紙用紙Ｐ２の表表紙側及び裏表紙側に向けて上り勾配を有する表表紙側切欠き部Ｎ１と裏表紙側切欠き部Ｎ２とで構成される切欠き部Ｎを、本文用紙束ＰＳの天地方向に沿って複数形成する切欠き形成手段１３１を備えている。
【００５０】
これにより、製本システム１００において上記切欠き部Ｎが形成された本文用紙束ＰＳを用いて冊子が作製されるため、冊子として完成したときに冊子の開閉性を損なうことなく本文用紙束ＰＳと表紙用紙Ｐ２との接着強度を高めることができる。
【００５１】
また、本文用紙束ＰＳに形成する切欠き部Ｎのうち、本文用紙束ＰＳの天側及び地側に形成される切欠き部Ｎの容積を、他の位置に形成される切欠き部Ｎの容積よりも大きくすることで、冊子成型時において、この容積の大きい天側及び地側の切欠き部Ｎに本文用紙束ＰＳの天地方向の略中央部分から天地方向に移動してくる糊Ｇが収容されるため、冊子として完成した際に、糊Ｇが外側にはみ出ることなく冊子の品質を保つことができる。
【符号の説明】
【００５２】
１００…製本システム
１１０…印刷装置
１２０…製本装置
１３１…切欠き形成手段（１３１ａ…パンチ部、１３１ｂ…ダイ部、１３１ｃ…案内部材、１３１ｄ…駆動機構）
Ｐ１…本文用紙
Ｐ２…表紙用紙
ＰＳ…本文用紙束
ＰＳ１…表表紙側端部
ＰＳ２…裏表紙側端部
Ｎ…切欠き部（Ｎ１…表表紙側切欠き部、Ｎ２…裏表紙側切欠き部）
Ｎａ…切欠き
Ｎｂ…傾斜面
Ｇ…糊
【図１】
2016215608.tif 000003
【図２】
2016215608.tif 000004
【図３】
2016215608.tif 000005
【図４】
2016215608.tif 000006
【図５】
2016215608.tif 000007